(57)【要約】【課題】施錠部材を構成する部品の数を少なくすると共に、簡単な機構と合理的な手段によって、かばん・ケース類の錠前本体と差込部材と係合、離脱関係を適確になさんとすることである。【解決手段】筐体Ｂに取り付けられる錠前本体１０と、この錠前本体の位置に対応するように蓋体Ａに取り付けられ、係合片５３が錠前本体に着脱自在に係合する差込部材５０とから成るかばん・ケース類の錠前１に於いて、錠前本体１０に凹所状収納部１２を設け、この凹所状収納部に、施錠カム用軸２２を中心として係合・非係合方向に回動する施錠カム２１と、この施錠カムを少なくとも施錠方向に付勢するようバネ端部２３ａが該施錠カムに圧接する付勢手段２３を組み込み、係合片５３が施錠カム２１に形成された第１係合部２１ｂに係合した後、該係合片５３が前記錠前本体内に更に進入すると、付勢手段２３の付勢力により、施錠カム２１は係合片５３を施錠位置へと引き寄せるように自動的に回動して施錠状態となること。【選択図】図３
2019049133.tif 000002
【特許請求の範囲】
【請求項１】
筐体に取り付けられる錠前本体と、この錠前本体の位置に対応するように蓋体に取り付けられ、係合片が前記錠前本体に着脱自在に係合する差込部材とから成るかばん・ケース類の錠前に於いて、前記錠前本体に凹所状収納部を設け、この凹所状収納部に、施錠カム用軸を中心として係合・非係合方向に回動する施錠カムと、この施錠カムを少なくとも施錠方向に付勢するようバネ端部が該施錠カムに圧接する付勢手段を組み込み、前記係合片が前記施錠カムに形成された第１係合部に係合した後、該係合片が前記錠前本体内に更に進入すると、前記付勢手段の付勢力により、前記施錠カムは前記係合片を施錠位置へと引き寄せるように自動的に回動して施錠状態となる、かばん・ケース類の錠前。
【請求項２】
請求項１に記載のかばん・ケース類の錠前に於いて、施錠カムは、その略中央部に施錠カム用軸が遊嵌合する軸孔を有し、不正開錠時に係合片が後退方向に移動すると、前記施錠カムは前記軸孔を介して前記係合片と略同方向へ移動し、これにより、取付け基台側に設けられた係合部に前記施錠カムの第２係合部が食い込むように当たり、施錠状態を保持することを特徴とするかばん・ケース類の錠前。
【請求項３】
請求項２に記載のかばん・ケース類の錠前に於いて、取付け基台側に設けられた係合部は、該取付け基台内に固定的に設けられた仕切り板に設けられていることを特徴とするかばん・ケース類の錠前。
【請求項４】
請求項１に記載のかばん・ケース類の錠前に於いて、付勢手段は、クリック機能を有する付勢バネであり、この付勢バネの付勢力は、非楕円形状の施錠カムの頂点部が前記付勢手段の一方側に相当するばね腕の略中央部（境界部）を超えてバネ端部側を指向した場合には施錠方向に作用し、一方、前記頂点部が前記バネ端部側から前記略中央部（境界部）を超えて付勢手段の折返し中央部側を指向した場合には、開錠方向に作用することを特徴とするかばん・ケース類の錠前。
【発明の詳細な説明】
【技術分野】
【０００１】
本発明は、各種かばん類、スーツケース、トローリーバック、ブリーフケース、トランク、クーラーボックス、コンテナー、その他各種ケース類やその他各種物品を収納する筐体製品など（以下、これらを総称して本明細書において、かばん・ケース類と称する。）の蓋体及び筐体に取り付けられるかばん・ケース類の錠前に関し、特に、かばん・ケース類の筐体に取り付けられる錠前本体と、この錠前本体の位置に対応するように蓋体に取り付けられ、係合片が前記錠前本体に着脱自在に係合する差込部材とから成るかばん・ケース類の錠前に関する。
【背景技術】
【０００２】
本出願人は、かばん類の筐体に取り付けられるかばん・ケース類の錠前として、かばん・ケース類の筐体に開閉可能に取り付けられた蓋体の施錠及び開錠をワンタッチ式で操作することができるようにしたかばん・ケース類の錠前を、先に特願２０１４−１５９８４３号（特開２０１６−３７７１３号）として提案している。本出願人は、施錠部材を構成する部品点数を少なくすると共に、簡単な機構と合理的な手段によって、かばん・ケース類の錠前本体と差込部材との係合、離脱関係を適確になさんとし、さらに、かばん・ケース類の錠前のかばん・ケース類への取付けの際の位置の誤差、取扱い時の衝撃、永年の使用により取付けの緩みや位置ずれや部品の磨耗等によって生じる「がたつき」や気密性が損なわれるという問題点を一層改善することに着目した。
【先行技術文献】
【特許文献】
【０００３】
【特許文献１】特開２０１６−３７７１３号公報
【発明の概要】
【発明が解決しようとする課題】
【０００４】
本発明の主たる課題は、施錠部材を構成する部品の数を少なくすると共に、簡単な機構と合理的な手段によって、かばん・ケース類の錠前本体と差込部材との係合、離脱関係を適確になさんとする_Hlk492292016ものである。また、いわゆるワンタッチで自動的に施錠できると共に、施錠時、蓋体に取り付けられた差込部材を可能な限り施錠位置へと引き寄せ、かばん・ケース類の錠前に発生する「がたつき」を自動的に吸収して常に気密性、保持力を保ち、これにより、いわゆる「がたつき」が生じにくいかばん・ケース類の錠前を提供することである。本発明の二次的な課題は、前記課題に加え、かばん・ケース類の蓋体を無理やり開けようとしたりするという人為的な操作（特に第三者による不正開錠）や、かばん・ケース類取扱い時の衝撃（振動）による不意の開錠に対して一層保持力を増強できるかばん・ケース類の錠前を提供するものである。
【課題を解決するための手段】
【０００５】
本発明のかばん・ケース類の錠前は、筐体Ｂに取り付けられる錠前本体１０と、この錠前本体の位置に対応するように蓋体Ａに取り付けられ、係合片５３が前記錠前本体に着脱自在に係合する差込部材５０とから成るかばん・ケース類の錠前１に於いて、前記錠前本体１０に凹所状収納部１２を設け、この凹所状収納部に、施錠カム用軸２２を中心として係合・非係合方向に回動する施錠カム２１と、この施錠カムを少なくとも施錠方向に付勢するようバネ端部２３ａが該施錠カムに圧接する付勢手段２３を組み込み、前記係合片５３が前記施錠カム２１に形成された第１係合部としての切欠状被係合部２１ｂに係合した後、該係合片５３が前記錠前本体内に更に進入すると、前記付勢手段２３の付勢力により、前記施錠カム２１は前記係合片５３を施錠位置へと引き寄せるように自動的に回動して施錠状態となることを特徴とする。
【０００６】
上記構成に於いて、施錠カムは、その略中央部に施錠カム用軸が遊嵌合する軸孔を有し、不正開錠時に係合片が後退方向に移動すると、前記施錠カムは前記軸孔を介して前記係合片と略同方向へ移動し、これにより、取付け基台側に設けられた係合部に前記施錠カムの第２係合部が食い込むように当たり、施錠状態を保持することを特徴とする。また、取付け基台側に設けられた係合部は、該取付け基台内に固定的に設けられた仕切り板に設けられていることを特徴とする。さらに付勢手段は、クリック機能を有する付勢バネであり、この付勢バネの付勢力は、非楕円形状の施錠カムの頂点部が付勢手段の一方側に相当するばね腕の略中央部（境界部）を超えてバネ端部側を指向した場合には施錠方向に作用し、一方、前記頂点部が前記バネ端部側から前記略中央部（境界部）を超えて付勢手段の折返し中央部側を指向した場合には、開錠方向に作用することを特徴とする。
【発明の効果】
【０００７】
独立請求項に記載の本発明は、施錠部材を構成する部品の数を少なくすると共に、簡単な機構と合理的な手段によって、かばん・ケース類の錠前本体と差込部材との係合、離脱関係を適確に行うことができる。当然、部品点数が少ないので、コスト低減に繋がる等の優れた効果がある。また、いわゆるワンタッチで自動的に施錠できると共に、施錠時、蓋体に取り付けられ差込部材を可能な限り施錠位置へと引き寄せ、かばん・ケース類の錠前に発生する「がたつき」を自動的に吸収して常に気密性、保持力を保ち、これにより、いわゆる「がたつき」が生じにくいかばん・ケース類の錠前を提供することができる。
【０００８】
また従属項（例えば請求項２等）に記載の発明は、かばん・ケース類の蓋体を無理やり開けようとしたりするという人為的な操作（特に第三者による不正開錠）や、かばん・ケース類取扱い時の衝撃（振動）による不意の開錠に対して一層保持力を増強できる。さらに、例えば請求項４に記載の発明は、付勢手段がクリック機能を有する一つの付勢バネである付勢力を施錠方向と開錠方向に選択的に作用させることができる。
【図面の簡単な説明】
【０００９】
図１乃至図９は本発明の第１実施形態を示す各説明図（レバー方式の開錠タイプ）。
【図１】本発明の第１実施形態を示す正面視からの概略説明図（差込前）。
【図２】錠前本体に差込部材が差し込まれた状態を示す側面視側からの概略説明図。
【図３】図２に於いて、施錠状態の一例を示す内部構造の概略説明図。
【図４】主要部の分解説明図。
【図５】図４に於いて、錠前本体１０を構成する取付け基台１１の説明図。
【図６】取付け基台１１内に固定的に配設される仕切り板１３、取付け基台１１内に組み込まれる施錠手段２１、２２、２３の斜視図。
【図７（Ａ）】は、差込部材５０が錠前本体１０に進入し始め、施錠カム２１の第１係合部２１ｂにその係合片５３の係合突起５４が係合したことを示す概略説明図。
【図７（Ｂ）】は、係合片５３が錠前本体１０内にさらに進入し、これにより施錠カム２１が施錠方向（時計方向）に回転したことを示す概略説明図。
【図８】（Ａ）、（Ｂ）は、施錠保持力強化機能を示す正面視側からの各概略説明図。
【図９】操作部材を開錠操作する場合の概略説明図（本施錠部材等は省略）。
【図１０】第１実施形態の操作部材を、例えば摘み方式（回転方式の開錠タイプ）に置換した場合の一例を示す概略説明図。
【図１１】第１実施形態の取付け基台１１をケースカバー４０に置換し、該ケースカバー４０に凹所状収納部１２を設け、一方、第１実施形態の取付け基台１１を蓋体に相当する取付けベース板（１１Ａ）に設計変更した実施形態。
【発明を実施するための形態】
【００１０】
各図は、本発明の技術的思想が、「筐体Ｂに取り付けられる錠前本体１０と、この錠前本体の位置に対応するように蓋体Ａに取り付けられ、係合片５３が前記錠前本体に着脱自在に係合する差込部材５０とから成るかばん・ケース類の錠前１に於いて、前記錠前本体１０に凹所状収納部１２を設け、この凹所状収納部に、施錠カム用軸２２を中心として係合・非係合方向に回動する施錠カム２１と、この施錠カムを少なくとも施錠方向に付勢するようバネ端部２３ａが該施錠カムに圧接する付勢手段２３を組み込み、前記係合片５３が前記施錠カム２１に形成された第１係合部としての切欠状被係合部２１ｂに係合した後、該係合片５３が前記錠前本体内に更に進入すると、前記付勢手段２３の付勢力により、前記施錠カム２１は前記係合片５３を施錠位置へと引き寄せるように自動的に回動して施錠状態となること」を示すものである。
【００１１】
実施形態には、錠前１を開錠（施錠カム２１と係合片５３との係合を解除）するための係合解除用操作部材４１も図示しているが、該係合解除用操作部材４１が、レバー式（図９）か、サムターン式（図１０）か、それともスライド式かは、発明の課題との関係では本発明の本質的事項ではないので、その詳細な説明や付随する部材は割愛する。
【００１２】
まず、図１乃至図９を参照して第１実施形態を説明する。この第１実施形態は、その操作部材４１がレバー式の開錠タイプである。図１は本発明の第１実施形態を示す正面視からの概略説明図（差込前）で、より正確には、かばん・ケース類の蓋体Ａに取り付けられた「かばん・ケース類の錠前１」の差込部材５０が、かばん・ケース類の筐体Ｂに取り付けられた錠前本体１０の嵌合部（開口部）１０ａに差し込まれる（嵌入、係入）前の状態を説明するための概略正面図である。以下、差込部材５０及び錠前本体１０を構成する主たる部材の位置関係を説明する「上端部」、「下端部」、「左」、「右」、中央部等の各用語はこの図１又は図３を基準とする。
【００１３】
図１に於いて、符号Ａは蓋体、Ｂは筐体である。かばん・ケース類の蓋体Ａは、周知の如く、筐体Ｂに対して開閉自在である。図１は説明の便宜上、蓋体Ａ及び筐体Ｂを含めて正面図とするが、蓋体Ａ及び筐体Ｂは発明の特定要件ではない。
さて、１は金属製の錠前で、この錠前１は、差込部材５０と錠前本体１０とから成り、前記差込部材５０は、例えば横長矩形板状に形成され、かつ左右端部に一対の取付け孔（不番）を有する基部５１と、この基部の下端部を後側に略直角に折り曲げ形成された水平連設部５２と、この水平連設部の内端部を下方方向に略直角に折り曲げ形成され、かつ、一側面に係合突起５４を有する係合片５３と、前記基部と固定手段或いは係合手段を介して一体的に結合する化粧カバー５５から成る。
【００１４】
図２は錠前本体１０に差込部材５０が差し込まれた状態を示す側面視側からの概略説明図である。この図２を参照にすると、差込部材５０は、後述する取付け基台１１側に位置する垂直プレート状の基部５１と、水平連設部５２を含むアングル状の折り曲げ部分（不番）と、この折り曲げ部分に連設して下方に所要量延在する垂直プレート状の係合片５３と、この係合片５３の下端部の内面に取付け基台１１の垂直ベース板に対して略直交するように突設されたやや小さな係合突起５４と、前述の化粧カバー５５から成る。
【００１５】
なお、符号４０は、本実施形態では取付け基台１１と一体的に結合するケースカバー（化粧カバー）で、このケースカバー４０には、例えば操作部材としてのレバーハンドル４１が、その操作軸としての水平軸４２を介して回転自在に設けられている。図２及び図９では、本発明の課題に全く関係のない、例えばレバーハンドル４１は概略的に図示し、またその復帰バネ、レバーハンドル４１用本施錠部材等は省略している。
【００１６】
次に、図３は施錠状態の一例を示す内部構造の概略説明図、図４は主要部の分解説明図、図５は錠前本体１０を構成する取付け基台１１の説明図、図６は取付け基台の凹所状収納部１２に組み込まれる仕切り板１３等の斜視図である。
【００１７】
実施形態の仕切り板１３は、取付け基台１１の一部を構成するものである。また図６には、例えば取付け基台１１の凹所状収納部１２内に組み込まれる施錠手段が示されており、前記施錠手段を構成する施錠カム２１は、仕切り板１３の一側内面に添設状態に配設されていると共に、施錠用軸２２に回転自在に軸支され、しかも、実施形態では、施錠カム２１の周面にそのバネ端部２３ａが圧接する略鉤形状の付勢バネ２３が、例えば凹所状収納部１２内の左側壁側に配設されている（図３参照）。
【００１８】
したがって、錠前本体１０は、少なくとも取付け基台１１と、例えばこの取付け基台の凹所状収納部１２に組み込まれる施錠部材とを備え、前記施錠部材は、例えば正面視略ハート形状に形成された施錠カム２１と、その軸２２と、回転中に施錠方向又は解錠方向に選択的に付勢するクリック機能を有する一つの付勢手段２３とから成り、前記取付け基台１１にはストッパー機能を有する突起状の係合部１４を有する仕切り板１３を含む。
【００１９】
次に、図４は、主要部の分解説明図、図５は図４に於いて、錠前本体１０を構成する取付け基台１１の説明図、図６は、取付け基台１１内に配設された固定部材としての仕切り板１３及び取付け基台１１内に組み込まれる施錠手段２１、２２、２３の斜視図である。
【００２０】
ここで、主に図４を参照にして、取付け基台１１の構成を説明する。１１ａは垂直板片であるが、この垂直板片は取付けベース板１１ａに相当し、この取付けベース板１１ａは前述したケースカバー４０に対向する。この取付けベース板１１ａの中央部或いは中央部寄りの部位には、その上端から下方に略垂直状態に所定量形成されたレバーハンドル４１の「くちばし状」先端部４１ａが係入するスリット１１ｂを始めとし、このスリットを基準にして前記取付けベース板１１ａの上端部の左右部位にそれぞれ突出形成された固着具用取付け部１１ｃ、付勢バネの中央部を支持する単数又は複数のバネ支持部１１ｄ、その他必要に応じて、差込部材の係合片用切欠部１１ｅ、鋲体用取付け部１１ｆ、図示しない軸取付け部等が設けられている。
【００２１】
また取付けベース板１１ａは多角形の周壁１１ｇを有し、この周壁１１ｇの上壁部分の適宜部位は、略ハート形状の施錠カム２１の回転に支障をきたさないように上方にやや段差状に逃げている。
【００２２】
しかして、取付け基台１１の凹所状収納部１２には、図６で示す仕切り板１３が固定的に嵌め込まれる。仕切り板１３は、垂直ベース板部分１３ａと、この垂直ベース板部分の左右及び下方を略直角に折り曲げ形成した複数個の端板部分１３ｂとから成り、前記垂直ベース板部分１３ａの内壁面上部の適宜箇所には、ストッパー機能を有する取付け基台側の係合部としての突起状係合片１４が設けられている。
【００２３】
また、前記内壁面上部の左右部位には一対の固着具用の取付け孔１５が形成されている。さらに、取付け基台１１に設けられた施錠用軸２２が貫通する貫通小孔１３ｃが形成され、この貫通小孔１３ｃの左右の適宜部位には、レバーハンドル４１の先端部を案内する第１スリット１３ｄと、前述した係合片５３の係合突起５４を案内する第２スリット１３ｅがそれぞれ垂直方向に所要量形成されている。
【００２４】
ここで、図３を参照にして施錠カム２１と付勢手段の一例としての付勢バネ２３の位置関係を説明する。この図３では凹所状収納部１２内に組み込まれた仕切り板１３、施錠用軸２２に軸支された施錠カム２１、施錠カム用付勢バネ２３が見えるように描いている。そして、施錠カム２１を施錠方向（時計方向）押圧する係合突起５４と、施錠カム２１を係合解除の方向（反時計方向）押圧するレバーハンドル４１の先端部４１ａを便宜上長方形で描いている。
【００２５】
しかして、この図３から理解することができるように、施錠カム２１は正面視略ハート形状に形成され、その一側の周面がやや三角形状に形成されていることから、周方向の一部に頂点部２１ａを有している。この三角形状の頂点部２１ａは、仕切板１３の端板部分１３ｂ又は周壁１１ｇの一部の内面及びバネ支持部１１ｄにそれぞれ支持された付勢バネ２３の右側（一方）のバネ端部２３ａと圧接する。
【００２６】
また前記頂点部２１ａの反対側の他側面に相当する弧状面の略中央部には、その周面から半径内方向に横向き凹所の切欠状被係合部（ここでは「第１係合部２１ｂ」とする）が形成されている。さらに略中央部には上下方向にやや長径の軸孔２１ｃが形成されている。なお、この施錠カム２１の形状は一例であり、適宜に設計変更し得る事項である。
【００２７】
ところで、符号２１ｄは施錠カム２１の円周方向の一部の凹状第１係合部２１ｂとは別の第２係合部で、本実施形態では、凹所状第１係合部２１ｂの上方付近の弧状面がそれに当たる。この第２係合部２１ｄは、例えば不正開錠時、取付け基台１１の一部、実施形態で、図３で示すように仕切り板１３の突起状係合部１４の一端部（縁部）に食い込むように当たる。
【００２８】
付言すると、まず発明の主たる課題との関係で、施錠カム２１を、少なくとも施錠方向に直接付勢するようバネ端部２３ａが施錠カム２１に圧接するクリック機能を有する付勢手段２３を取付け基台１１の凹所状収納部１２に組み込んでいるので、差込部材５０の係合片５３が施錠カム２１の切欠状の第１係合部２１ｄに係合した後、そのまま係合片５３が錠前本体１０内に更に進入すると、付勢手段２３の付勢力により、施錠カム２１は係合片５３の係合突起５４を施錠位置へと引き寄せるように自動的に回動して施錠状態となる。
【００２９】
次に発明の二次的な課題との関係で、施錠状態時、例えば不正開錠操作により差込部材が退出方向に移動したとき、取付け基台側に設けられた仕切り板１３の係合部１４に施錠カム２１の第２係合部２１ｄとしての一部が食い込むように当たり、これにより前記施錠状態を保持することができる。ここで「基台側に設けられた係合部１４」は、取付け基台１１の周壁の一部や取付け基台内に固定的に設けられた仕切り板１３のストッパー１４、その他のストッパーを言うもので、位置変位する施錠カム２１を所定位置で受け止める仮施錠機能を有するストッパー部位やストッパー部材である。
【００３０】
実施形態では、簡単な機構と合理的な手段（施錠手段の部品点数を少なくすること）を採用するために、施錠カム２１を考慮して、基台側の係合部１４を取付け基台１１の凹所状収納部１２に内設された固定部材としての仕切り板１３に設けている。
【００３１】
なお、本実施形態の施錠カム２１の係合態様は、（ａ）差込部材５０の係合突起５４と係合する第１係合（例えば第１係合部２１ｂとの係合）と、（ｂ）前記第１係合を保持しながら取付け基台１１の一部を構成する係合部１４に食い込む或いは楔状に係合する第２係合（例えば第２係合部２１ｄとの係合）の、合計二つの係合態様が存在するが、これは本発明の二次的な課題との関係で、本発明の特定要件と成り得る事項である。
【００３２】
次に図７は、「錠前１の施錠の確実性」に関する引き寄せ機構を概略的に示すものである。図７（Ａ）は、差込部材５０が錠前本体１０に進入し始め、施錠カム２１の第１係合部２１ｂにその係合片５３の係合突起５４が係合したことを示す。また図７（Ｂ）は、前記係合片５３が前記錠前本体１０内にさらに進入し、これにより前記施錠カム２１が施錠方向（時計方向）に回転したことを示す。このとき、施錠カム２１の頂点部２１ａは、付勢手段２３に当たる位置が変位し、その結果、付勢手段の付勢力が「開錠（解錠）」から「施錠」へと切替る。
【００３３】
すなわち、付勢手段２３は、好ましくはクリック機能を有する付勢バネであり、この付勢バネの付勢力は、略ハート形状の施錠カム２１の頂点部２１ａが付勢手段の一方側に相当するばね腕の折曲げ状中央部（境界部）２３ｂを超えてバネ端部２３ａ側を指向した場合には施錠方向に作用する。それ故に、本発明の課題の一つである、「いわゆるワンタッチで自動的に施錠できると共に、施錠時、蓋体に取り付けられ差込部材を可能な限り施錠位置へと引き寄せ、かばん・ケース類の錠前に発生するがたつきを自動的に吸収して常に気密性、保持力を保持すること」を達成することができる。
【００３４】
なお、開錠（解錠）時、図７（Ｂ）及び図７（Ａ）は、それぞれ逆の作動態様になることから、前記頂点部２１ａが前記バネ端部２３ａ側から前記略中央部（境界部）２３ｂを超えて付勢手段の折返し中央部２３ｃ側を指向した場合には、開錠方向に作用する。
【００３５】
ところで、本発明は、主たる課題（簡単な機構と合理的な手段によって、かばん・ケース類の錠前本体と差込部材との係合、離脱関係を適確になさんとする）を始めとし、二次的な課題を有するが、この二次的な課題は、かばん・ケース類の蓋体を無理やり開けようとしたりするという人為的な操作（特に第三者による不正開錠）や、かばん・ケース類の取扱い時の衝撃（振動）による不意の開錠に対して一層保持力を増強できるかばん・ケース類の錠前を提供することである。
【００３６】
そこで、図８に於いては、施錠カム２１は、その略中央部に施錠カム用軸２２が遊嵌合する軸孔２１ｃを有し、不正開錠時に係合片５３が後退方向に移動すると、前記施錠カム２１は前記軸孔を介して前記係合片と略同方向へ移動し、これにより、取付け基台側に設けられた係合部１４に前記施錠カムの第２係合部２１ｄが食い込むように当たり、施錠状態を保持すること、いわば「施錠保持力の強化」を示す。
【００３７】
ここでは図８（Ａ）、（Ｂ）を参照にして説明する。この態様における施錠カム２１においては、その軸孔２１ｃが前述したように上下方向がやや長径の楕円である。すなわち、これらの図に示した様に、施錠カム２１の軸孔２１ｃは、差込部材５０の係合突起５４の進入方向に楕円形状となっており、取付け基台１１に設けられた施錠カム用軸２２に前記軸孔２１ｃが遊嵌合することから、施錠カム２１は上下移動可能である。
【００３８】
したがって、施錠状態時、例えば不正開錠操作により差込部材５０が退出方向に移動したとき、取付け基台側の係合部１４に施錠カム２１の第２係合部としての一部２１ｄが食い込むように当たり、或いは楔状となり、これにより施錠状態を保持することができる。
さらに付言すると、差込部材５０の係合突起５４が差込まれて進入し、施錠された初期の第１の状態においては、図８（Ａ）に図示したように、施錠カム２１の第２係合部２１ｄと取付け基台側のストッパー機能を有する突起状の係合部１４とは若干の間隔をもって離れた状態であって、施錠カム用軸２２は、楕円形状の軸孔２１ｃの上方の円周部に当接された状態となって保持され、施錠状態に維持される。
【００３９】
一方、「がたつき」が生じて施錠状態の差込部材５０が、図８（Ｂ）において上方（Ｆ方向）に変動した場合、つまり、係合片５３が上方に退出した時には、その係合突起５４が第１係合部２１ｂを形成する横向き凹所状の上方内壁面に押し上げるように当たるので、図８（Ｂ）に図示したように、その変動に応じて施錠カム２１は縦方向の楕円形状の軸孔２１ｃを介して上方に若干移動し、楕円形状の軸孔２１ｃの下方の円周部に当接された状態となって保持され、これにより可動部材である施錠カムの第２係合部２１ｄと固定部材である取付け基台側の係合部１４の縁部とが「がっちり」と係合し、両係合部との間で、いわば楔のように抵抗力がかかった状態となる。
【００４０】
付言すると、施錠カム２１は施錠カム用軸２２と嵌合する楕円形状の長孔の軸孔２１ｃが上方への移動、および抵抗力がかかった状態の錠前本体１０を構成する施錠カム２１と取付け基台１１又は取付け基台の一部を構成する仕切り板１３の係合部１４とは、係合の抵抗力の増大により、両方の係合部の保持力が強化され、これにより施錠力が強化される。
【００４１】
次に、図２及び図９で示すように、取付け基台１１の外側には、ケースカバー４０が配され、この取付け基台１１とケースカバー４０とは、固定手段を介して合体する。またケースカバー４０の外側には、操作部材４１の一例としてレバーハンドルが設けられている。前記操作部材４１は前述したように水平軸４２を支点に所定範囲内で揺動可能である。この操作部材４１は差込部材５０の係合片５３と施錠カム２１の第１係合部２１ｂとの係合を解除するためのものであるから、係合解除時、操作部材を操作すると、この操作部材４１の嘴状の先端部（内端部）４１ａが施錠カム２１の第２係合部としての周面を押圧する。この操作部材４１の具体的構成や該操作部材に加味される本施錠手段の構成は本発明の課題と関係では関係がないので、詳細は割愛する。
【００４２】
ところで、図１０は、第１実施形態の操作部材４１を、例えば摘み方式（回転方式の開錠タイプ）に置換した場合の一例を示す概略説明図である。この図１０に於いて、４１Ａは摘み方式の操作部材で、この操作部材４１Ａの中心部には水平方向にサムターン軸４５が固定的に設けられている。４６はサムターン軸と共働する作動カムで、この作動カム４６の略半円状部分４６ａの左右の下端部は、施錠レバー４７の下端部を折り曲げ形成した水平受け部４７ａに対して押圧部となる。前記施錠レバー４７は、取付け基台１１内に上下方向にスライド可能に配設され、その垂直板部分４７ｂの一側面の突片状ガイド部４８を有している。また施錠レバー４７は、前記垂直板部分４７ｂの上端部に指先状に形成されたメス側の連係部４９を有している。前記メス側の連係部４９は、施錠カム２１Ａの頂点部側に設けた小突起状のオス側連係部２１ｆに係合する。
【００４３】
上記構成に於いて、操作部材４１Ａは、間接部材（作動カム４６、施錠レバー４７）を介して施錠カム２１Ａに接続していることから、操作部材４１Ａの回転操作力は、施錠カム２１Ａに間接的に伝わる。第１実施形態では、操作部材４１の操作力が直接施錠カム２１に伝わるので、部品点数を少なくするという利点がある。一方、第１実施形態を置換したサムターン式の操作部材４１Ａは、開錠時、左右方向のいずれに回しても、施錠カム２１Ａの第１係合部２１ｂと差込部材５０の係合片５３の係合突起との係合を解除できるという効果がある。付言すると、前記係合解除時、前記操作部材４１を操作すると、この操作部材の内端部が施錠カムの第２係合部としての周面を押圧する、又は操作部材４１Ａと連系する施錠レバー４７が作動する、のいずれかにより前記施錠カム（２１、２１Ａ）が開錠方向へと回転する。
【００４４】
上記操作部材４１Ａを採用した実施形態は、例えば、蓋体に複数のかばん・ケース類の錠前を左右に取り付けたときに発生する左右勝手の使いづらさ、そのために左右仕様のかばん・ケース類の錠前を別々に２種類の作製しなければならならないという製品点数、工数、管理、コストアップ等という無駄をなくし、一種類のかばん・ケース類の錠前で左右使いの双方を兼用することができるという優れた効果がある。
【００４５】
最後に、図１１は第１実施形態の取付け基台１１をケースカバー４０に置換し、該ケースカバー４０に凹所状収納部１２を設け、一方、第１実施形態の取付け基台１１を、単なる板状の取付けベース板１１Ａに設計変更した実施形態である。したがって、前記ケースカバー４０に、本発明の主たる課題に必要な構成要素を適宜に設ける。このように凹所状収納部１２を第１実施形態の取付け基台１１に設けるか、又はケースカバー４０に設けるかは発明の本質的事項ではなく、本発明の主たる課題を逸脱しない限り、自由に設計変更し得る事項である。
【符号の説明】
【００４６】
１…かばん・ケース類の錠前、
１０…錠前本体、
１１、４０…取付け基台、
１１Ａ…ケースカバー４０に嵌合する取付けベース板、
１２…凹所状収納部、
１３…仕切り板、
１４…取付け基台側の係合部、
２１…施錠カム、
２１ａ…頂点部、
２１ｂ…切欠状被係合部（第１係合部）、
２１ｃ…軸孔、
２１ｄ…第２係合部、
２２…施錠カム用軸、
２３…付勢手段、
２３ａ…バネ端部、
４０…ケースカバー、
４１、４１Ａ…係合解除用の操作部材、
４１ａ…先端部、
５０…差込部材、
５１…基部、
５３…係合片、
５４…係合突起、
Ａ…かばん・ケース類の蓋体、
Ｂ…かばん・ケース類の筐体。
【図１】
2019049133.tif 000003
【図２】
2019049133.tif 000004
【図３】
2019049133.tif 000005
【図４】
2019049133.tif 000006
【図５】
2019049133.tif 000007
【図６】
2019049133.tif 000008
【図７（Ａ）】
2019049133.tif 000009
【図７（Ｂ）】
2019049133.tif 000010
【図８】
2019049133.tif 000011
【図９】
2019049133.tif 000012
【図１０】
2019049133.tif 000013
【図１１】
2019049133.tif 000014
【手続補正書】
【提出日】平成29年9月14日(2017.9.14)
【手続補正１】
【補正対象書類名】明細書
【補正対象項目名】０００４
【補正方法】変更
【補正の内容】
【０００４】
本発明の主たる課題は、施錠部材を構成する部品の数を少なくすると共に、簡単な機構と合理的な手段によって、かばん・ケース類の錠前本体と差込部材との係合、離脱関係を適確になさんとするものである。また、いわゆるワンタッチで自動的に施錠できると共に、施錠時、蓋体に取り付けられた差込部材を可能な限り施錠位置へと引き寄せ、かばん・ケース類の錠前に発生する「がたつき」を自動的に吸収して常に気密性、保持力を保ち、これにより、いわゆる「がたつき」が生じにくいかばん・ケース類の錠前を提供することである。本発明の二次的な課題は、前記課題に加え、かばん・ケース類の蓋体を無理やり開けようとしたりするという人為的な操作（特に第三者による不正開錠）や、かばん・ケース類取扱い時の衝撃（振動）による不意の開錠に対して一層保持力を増強できるかばん・ケース類の錠前を提供するものである。